(57)【要約】      （修正有）【課題】第２レールが、第１レールに対し、第１位置及び第２位置へと移動するときのブロック機構を有するスライドレールアセンブリを提供する。【解決手段】スライドレールアセンブリは、第１レール２８、第２レール３０、第１係合要素及び第２係合要素３４を備え、第１レール２８は第１ブロック部５０を含む。第２レール３０は、第１レール２８に移動可能に接続され、第１及び第２係合要素３４は、第２レール３０に接続される。第２レール３０が、第１レール２８に対して、第１位置に向かって動くとき、第１係合要素は、第１レール２８のブロック部５０に対して当接する。第１係合要素が、第１レール２８のブロック部５０から動作可能に取り外されるとき、第２レール３０は、第１レール２８に対して、第１位置から第２位置Ｐ２に向かって動くことができる。【選択図】図１３
2017047165.tif 000002
【特許請求の範囲】
【請求項１】
前端部及び第１ブロック部を含む第１レールと、
前記第１レールに移動可能に接続され、第２ブロック部を含む第２レールと、
前記第２レールの第１部分に接続された第１係合要素と、
前記第２レールの第２部分に接続され、第１ガイド部を有する第２係合要素と、
を備え、
前記第２レールが、前記第１レールに対して、前記第１レールの前記前端部を越えて第１位置へと動くとき、前記第１係合要素は、前記第１レールの前記第１ブロック部に対して当接し、
前記第２レールが、第１レールに対して、前記第１位置から第２位置へと動くことを可能にするために、前記第１係合要素が、前記第１レールの前記第１ブロック部から動作可能に取り外されるとき、前記第２係合要素は、前記第１ガイド部の支援により、前記第１レールの前記第１ブロック部を横断し、前記第２レールの前記第２ブロック部は、前記第１レールに対して前記第２位置で前記第２レールを保持するために、前記第１レールの前記第１ブロック部に対して当接する、
スライドレールアセンブリ。
【請求項２】
前記第１レールは、解放開口を有し、前記第１係合要素は、弾性部と、前記弾性部に接続された接触部とを含み、前記第２レールが、前記第１レールに対して前記第１位置に位置するとき、前記第１係合要素の前記接触部は、前記第１レールの前記第１ブロック部に対して当接し、前記第１係合要素の前記弾性部の少なくとも一部は、前記解放開口に対応する、請求項１に記載のスライドレールアセンブリ。
【請求項３】
前記第１レールに取り付けられ、前記解放開口に対応する解放部を有する解放要素を更に備える、請求項２に記載のスライドレールアセンブリ。
【請求項４】
前記第１レールは、解放開口を有し、前記第２係合要素は、弾性部と、前記弾性部に接続された接触部とを含み、前記第２レールが、前記第１レールに対して前記第２位置に位置するとき、前記第２係合要素の前記接触部と、前記第２レールの前記第２ブロック部とは、それぞれ、前記第１レールの前記第１ブロック部の両側に位置し、前記第２係合要素の前記弾性部の少なくとも一部は、前記解放開口に対応する、請求項１に記載のスライドレールアセンブリ。
【請求項５】
前記第１レールに取り付けられ、前記解放開口に対応する解放部を有する解放要素を更に備える、請求項４に記載のスライドレールアセンブリ。
【請求項６】
前記第１係合要素は第２ガイド部を有し、前記第２レールが、前記第２位置から前記第１位置に向かって動くとき、前記第１係合要素は、前記第２ガイド部の支援により、前記第１レールの前記第１ブロック部を横断する、請求項４に記載のスライドレールアセンブリ。
【請求項７】
第３レールを更に備え、前記第１レールは、前記第３レールに移動可能に接続される、請求項１に記載のスライドレールアセンブリ。
【請求項８】
前端部、第１ブロック部及び解放開口を含む第１レールであり、前記第１ブロック部は、第１側部と、前記第１側部に対応する第２側部とを有する、第１レールと、
前記第１レールに移動可能に接続された第２レールと、
前記第２レールの第１部分に接続された第１係合要素と、
前記第２レールの第２部分に接続され、ガイド部を有する第２係合要素と、
を備え、
前記第２レールが、前記第１レールに対して、ある方向に沿って、前記第１レールの前記前端部を越えて第１位置へと動くとき、前記第１係合要素は、前記第１レールの前記第１ブロック部の前記第１側部に対して当接し、前記第１係合要素の少なくとも一部は、前記解放開口に対応し、
前記第２レールが、前記第１レールに対して、前記の方向に沿って、前記第１位置から動くことを可能にするために、前記第１係合要素が、前記解放開口を介して前記第１レールの前記第１ブロック部から動作可能に取り外されるとき、前記第２係合要素が、前記ガイド部の支援により、前記第１レールの前記第１ブロック部を横断して前記第１ブロック部の前記第２側部に隣接するまで、前記第２レールは、前記第１レールに対して第２位置に位置する、
スライドレールアセンブリ。
【請求項９】
前記第２レールは第２ブロック部を含み、前記第２レールが、前記第２位置に位置するとき、前記第２レールの前記第２ブロック部は、前記第１レールに対して前記第２位置で前記第２レールを保持するために、前記第１レールの前記第１ブロック部の前記第１側部に隣接し、前記第２係合要素の少なくとも一部は、前記解放開口に対応する、請求項８に記載のスライドレールアセンブリ。
【請求項１０】
ブロック部及び解放開口を含む第１レールと、
前記第１レールに移動可能に接続された第２レールと、
前記第２レールの第１部分に接続された第１係合要素と、
前記第２レールの第２部分に接続された第２係合要素と、
を備え、
前記第２レールが、前記第１レールに対して、ある方向に沿って、第１位置へと動くとき、前記第１係合要素は、前記第１レールの前記ブロック部に対して当接し、前記第１係合要素の少なくとも一部は、前記解放開口に対応し、
前記第２レールが、前記第１レールに対して、前記の方向に沿って、前記第１位置から第２位置へと動くことを可能にするために、前記第１係合要素が、前記解放開口を介して前記第１レールの前記ブロック部から動作可能に取り外されるとき、前記第２係合要素の少なくとも一部は、前記第１レールの前記ブロック部に隣接する、
スライドレールアセンブリ。
【発明の詳細な説明】
【技術分野】
【０００１】
本発明は、スライドレールアセンブリに関し、特に、第２レールが、第１レールに対し、第１位置及び第２位置へと移動するときのブロック機構（ｂｌｏｃｋｉｎｇ  ｍｅｃｈａｎｉｓｍｓ）を有するスライドレールアセンブリに関する。
【背景技術】
【０００２】
一般的に、スライドレールアセンブリは、第１レールと、第１レールに対して動くことができる第２レールとを備える。第２レールを介して第１レールに対して被搬送物を引き出す（ｐｕｌｌ  ｏｕｔ）か、あるいは、回収する（ｒｅｔｒｉｅｖｅ）ことを可能にするために、第２レールは被搬送物を取り付けるように構成される。異なる市場の要求に対して、異なる位置に引っ張られるときに第２レールを保持するためのブロック機構を有するように関連製品が開発され、ユーザはブロック機構の動作を停止することができる。例えば、米国特許６，４１２，８９１Ｂ１号明細書、米国特許８，３１７，２７８Ｂ２号明細書及び米国特許７，７９４，０３０Ｂ２号明細書は、既にそのようなタイプの技術を開示している。従って、これらは参照のため提供される。
【先行技術文献】
【特許文献】
【０００３】
【特許文献１】米国特許６，４１２，８９１号明細書
【特許文献２】米国特許７，７９４，０３０号明細書
【特許文献３】米国特許８，３１７，２７８号明細書
【０００４】
現在の従来型スライドレールアセンブリは、通常、スライドレールアセンブリが完全に延伸されたときだけの位置決め又は停止機能を提供する。しかしながら、スライドレールアセンブリが部分的に延伸されるときの位置決め又は停止機能に関する設計がない。従って、本発明はそのような課題を解決するための手段を提供する。
【発明の概要】
【０００５】
本発明は、スライドレールアセンブリに関する。当該スライドレールアセンブリは、第１位置に位置する係合要素を介して第１レールに対して当接することができ、かつ、係合要素が解放された後、第１レールに対して第２位置に移動することができる、第２レールを備える。
【０００６】
本発明の一実施形態によると、スライドレールアセンブリは、第１レール、第２レール、第１係合要素及び第２係合要素を備える。第１レールは前端部及び第１ブロック部（ｆｉｒｓｔ  ｂｌｏｃｋｉｎｇ  ｐａｒｔ）を含む。第２レールは、第１レールに移動可能に接続され、かつ、第２ブロック部（ｓｅｃｏｎｄ  ｂｌｏｃｋｉｎｇ  ｐａｒｔ）を含む。第１係合要素は、第２レールの第１部分に接続される。第２係合要素は、第２レールの第２部分に接続され、かつ、第１ガイド部（ｆｉｒｓｔ  ｇｕｉｄｉｎｇ  ｓｅｃｔｉｏｎ）を有する。第２レールが、第１レールに対して、第１レールの前端部を越えて第１位置へと動くとき、第１係合要素は、第１レールの第１ブロック部に対して当接する。第２レールが、第１レールに対して、第１位置から第２位置へと動くことを可能にするために、第１係合要素が、第１レールの第１ブロック部から動作可能に取り外されるとき、第２係合要素は、第１ガイド部の支援により、第１レールの第１ブロック部を横断し、第２レールの第２ブロック部は、第１レールに対して第２位置で第２レールを保持するために、第１レールの第１ブロック部に対して当接する。
【０００７】
本発明の上記実施形態によると、第１レールは、解放開口（ｒｅｌｅａｓｅ  ｏｐｅｎｉｎｇ）を有し、第１係合要素は、弾性部と、弾性部に接続された接触部とを含む。第２レールが、第１レールに対して第１位置に位置するとき、第１係合要素の接触部は、第１レールの第１ブロック部に対して当接し、第１係合要素の弾性部の少なくとも一部は、解放開口に対応する。スライドレールアセンブリは、第１レールに取り付けられた解放要素（ｒｅｌｅａｓｅ  ｅｌｅｍｅｎｔ）を更に備える。解放要素は、解放開口に対応する解放部（ｒｅｌｅａｓｅ  ｐａｒｔ）を有する。
【０００８】
本発明の上記実施形態によると、第１レールは解放開口を有し、第２係合要素は弾性部と、弾性部に接続された接触部とを含み、第２レールが、第１レールに対して第２位置に位置するとき、第２係合要素の接触部と、第２レールの第２ブロック部とは、それぞれ、第１レールの第１ブロック部の両側に位置し、第２係合要素の弾性部の少なくとも一部は、解放開口に対応する。スライドレールアセンブリは、第１レールに取り付けられる解放要素を更に備える。解放要素は、解放開口に対応する解放部を有する。
【０００９】
好ましくは、第１係合要素は第２ガイド部（ｓｅｃｏｎｄ  ｇｕｉｄｉｎｇ  ｓｅｃｔｉｏｎ）を有する。第２レールが、第２位置から第１位置に向かって動くとき、第１係合要素は、第２ガイド部の支援により、第１レールの第１ブロック部を横断する。
【００１０】
本発明の上記実施形態によると、スライドレールアセンブリは、第３レールを更に備える。第１レールは、第３レールに移動可能に接続される。
【００１１】
本発明の別の実施形態によると、スライドレールアセンブリは、第１レール、第２レール、第１係合要素及び第２係合要素を備える。第１レールは、前端部、第１ブロック部及び解放開口を含む。第１ブロック部は、第１側部と、第１側部に対応する第２側部とを有する。第２レールは、第１レールに移動可能に接続される。第１係合要素は、第２レールの第１部分に接続される。第２係合要素は、第２レールの第２部分に接続され、かつ、ガイド部を有する。第２レールが、第１レールに対して、ある方向に沿って、第１レールの前端部を越えて第１位置へと動くとき、第１係合要素は、第１レールの第１ブロック部の第１側部に対して当接し、第１係合要素の少なくとも一部は、解放開口に対応する。第２レールが、第１レールに対して、その方向に向かって、第１位置から動くことを可能にするために、第１係合要素が、解放開口を介して第１レールの第１ブロック部から動作可能に取り外されるとき、第２係合要素がガイド部の支援により、第１レールの第１ブロック部を横断して第１ブロック部の第２側部に隣接するまで、第２レールは第１レールに対して第２位置に位置する。
【００１２】
本発明の上記の別の実施形態によると、第２レールは第２ブロック部を含む。第２レールが、第２位置に位置するとき、第２レールの第２ブロック部は、第１レールに対して第２位置で第２レールを保持するために、第１レールの第１ブロック部の第１側部に隣接し、第２係合要素の少なくとも一部は、解放開口に対応する。
【００１３】
本発明の別の実施形態によると、スライドレールアセンブリは、第１レール、第２レール、第１係合要素及び第２係合要素を備える。第１レールは、ブロック部及び解放開口を含む。第２レールは、第１レールに移動可能に接続される。第１係合要素は、第２レールの第１部分に接続される。第２係合要素は、第２レールの第２部分に接続される。第２レールが、第１レールに対して、ある方向に沿って、第１位置へと動くとき、第１係合要素は、第１レールのブロック部に対して当接し、第１係合要素の少なくとも一部は、解放開口に対応する。第２レールが、第１レールに対して、その方向に沿って、第１位置から第２位置へと動くことを可能にするために、第１係合要素が、解放開口を介して第１レールのブロック部から動作可能に取り外されるとき、第２係合要素の少なくとも一部は、第１レールのブロック部に隣接する。
【００１４】
本発明の上記及びその他の目的が、さまざまな図及び図面に図示される好ましい実施形態の以下の詳細な説明を読むと、当業者に明白なことは言うまでもない。
【図面の簡単な説明】
【００１５】
【図１】本発明の一実施形態に従った、ラックに被搬送物を取り付けることができる、完全に延伸したスライドレールアセンブリを示す図である。
【図２】本発明の一実施形態に従った、スライドレールアセンブリの展開図である。
【図３】本発明の一実施形態に従った、スライドレールアセンブリの第２レールに接続された第１係合要素及び第２係合要素を示す図である。
【図４】本発明の一実施形態に従った、第１レールに取り付けられたスライドレールアセンブリの解放要素を示す図である。
【図５】別の視野角における、第１レールに取り付けられた図４の解放要素を示す図である。
【図６】本発明の一実施形態に従った、第１レールに対して回収状態（ｒｅｔｒｉｅｖｅ  ｓｔａｔｅ）のスライドレールアセンブリの第２レールを示す図である。
【図７】本発明の一実施形態に従った、第１レールの第１ブロック部に対して当接するスライドレールアセンブリの第１係合要素を示す図である。
【図８】本発明の一実施形態に従った、第１レールの第１ブロック部から第１係合要素の接触部を解放するように操作されているスライドレールアセンブリの解放要素を示す図である。
【図９】第１レールに対して第１の方向に沿って動き続ける、図８における第２レールを示す図である。
【図１０】本発明の一実施形態に従った、第１レールの第１ブロック部に対して当接するスライドレールアセンブリの第２係合要素を示す図である。
【図１１】本発明の一実施形態に従った、第２レールが、第１レールに対して第１の方向に沿って動くことを可能にするために、第１ガイド部の支援により、第１レールの第１ブロック部の第１側部を横断する、図１０における第２係合要素を示す図である。
【図１２】本発明の一実施形態に従った、第１レールの第１ブロック部の表面に対して当接する第２係合要素の接触部を示す図である。
【図１３】本発明の一実施形態に従った、第１レールに対して第２位置で第２レールを保持するために、第１ブロック部の両側に位置した、図１２における第２係合要素の接触部と第２レールの第２ブロック部とを示す図である。
【図１４】本発明の一実施形態に従った、第１レールの第１ブロック部から第２係合要素の接触部を解放するように操作されているスライドレールアセンブリの解放要素を示す図である。
【図１５】第１レールに対して、第２の方向に沿って動くことができる、図１４における第２レールを示す図である。
【図１６】本発明の一実施形態に従った、第１レールの第１ブロック部に対して当接するスライドレールアセンブリの第１係合要素を示す図である。
【図１７】第２ガイド部の支援により、第１レールの第１ブロック部の第２側部を横断する、図１６における第１係合要素を示す図である。
【図１８】本発明の一実施形態に従った、回収状態のスライドレールアセンブリを示す図である。
【図１９】本発明の一実施形態に従った、第３レールに対して動くように引き出されているスライドレールアセンブリの第１レールを示す図である。
【図２０】本発明の一実施形態に従った、第１レールに対して第１位置へと動くスライドレールアセンブリの第２レールを示す図である。
【図２１】本発明の一実施形態に従った、第１レールに対して第２位置へと動くスライドレールアセンブリの第２レールを示す図である。
【発明を実施するための形態】
【００１６】
図１に示すように、被搬送物２０は、一対のスライドレールアセンブリ２２を介してラックに取り付けられ得る。被搬送物２０は、電子機器、シャーシ（ｃｈａｓｓｉｓ）又は引出しでよい。スライドレールアセンブリ２２の各々は、ラック２４の第１ポスト２６ａ及び第２ポスト２６ｂに取り付けられる。被搬送物２０は、一対のスライドレールアセンブリ２２の支援により、維持又は取り付けのためにラック２４から都合よく引き出される。
【００１７】
図２に示すように、スライドレールアセンブリは、第１レール２８、第２レール３０、第１係合要素３２及び第２係合要素３４を備える。好ましくは、スライドレールアセンブリは、第３レール３６を更に備える。第３レール３６は通路３８を有する。第１レール２８は、第３レール３６の通路３８において動くために、第３レール３６に移動可能に接続される。第１レール２８は、上壁４０ａと、下壁４０ｂと、上壁４０ａと下壁４０ｂとの間に接続された縦壁４２とを含む。通路４４が、上壁４０ａ、下壁４０ｂ及び縦壁４２によって画定される。第１レール２８は、前端部４６と、後端部４８と、前端部４６と後端部４８との間に位置する少なくとも１つの第１ブロック部５０とを含む。本実施形態において、少なくとも１つの第１ブロック部５０は、前端部４６に隣接するように配置される。好ましくは、第１レール２８は、縦壁４２に位置し、かつ、前端部４６に隣接する解放開口５２を更に有する。スライドレールアセンブリは、解放要素５４を更に備え、解放要素５４は解放開口５２に対応する解放部５６を有する。第１レール２８の通路４４において動くために、第２レール３０は、第１レール２８に移動可能に接続される。具体的に、第２レール３０は、上壁５８ａと、下壁５８ｂと、上壁５８ａと下壁５８ｂとの間に接続された縦壁６０とを含む。第２レール３０は、縦壁６０に配置された少なくとも１つの第２ブロック部６２と、複数の取付孔６４とを有する。
【００１８】
図３に示すように、第２レール３０は、第２レール３０の縦壁６０に配置された第１係合部６６及び第２係合部６８と、第１係合部６６に隣接する第１孔７０と、第２係合部６８に隣接する第２孔７２とを有する。第１係合要素３２は、第２レール３０の第１部分７４に接続される。第２係合要素３４は、第２レール３０の第２部分７６に接続される。第１係合要素３２は、弾性部７８と、弾性部７８に接続された接触部８０とを含む。好ましくは、第１係合要素３２は、接触部８０に接続された支持部８２を更に含む。第１係合要素３２の支持部８２は、第２レール３０の第１係合部６６に対して当接し、かつ、第１孔７０に対応する。第２係合要素３４は、弾性部８４と、弾性部８４に接続された接触部８６とを含む。好ましくは、第２係合要素３４は、接触部８６に接続された支持部８８を更に含む。第２係合要素３４の支持部８８は、第２レール３０の第２係合部６８に対して当接し、かつ、第２孔７２に対応する。
【００１９】
図４及び図５に示すように、解放要素５４は、第１レール２８に取り付けられる。解放要素５４の解放部５６は、第１レール２８の解放開口５２内に位置する。
【００２０】
図６及び図７に示すように、第１ブロック部５０は、第１側部９２ａと、第１側部９２ａに対応する第２側部９２ｂとを有する。第２レール３０が、第１レール２８に対して、第１の方向Ｄ１に沿って、第１レール２８の前端部４６を越えて回収状態から第１位置Ｐ１へと動かされるとき、第１係合要素３２の接触部８０は、第１レール２８の第１ブロック部５０の第１側部９２ａに対して当接し、弾性部７８の少なくとも一部は、解放開口５２に対応する。
【００２１】
図８に示すように、第２レール３０が、第１レール２８に対して第１位置Ｐ１に位置するとき、第１係合要素３２の弾性部７８を動かすために、ユーザは、解放要素５４の解放部５６を押すなどといった、解放開口５２を介して第１係合要素３２を操作して、力Ｆ１を第１係合要素３２の弾性部７８に間接的に加えることができ、これにより、第１係合要素３２の接触部８０は、第１レール２８の第１ブロック部５０の第１側部９２ａに対してこれ以上当接しなくなる。つまり、第１係合要素３２は、第１レール２８の第１ブロック部５０から動作可能に取り外される。
【００２２】
図９に示すように、第１係合要素３２の接触部８０が、第１レール２８の第１ブロック部５０の第１側部９２ａから取り外された後、第２レール３０は、第１レール２８に対して、第１の方向Ｄ１に沿って動き続けることができる。
【００２３】
図１０及び図１１に示すように、好ましい実施形態において、第２係合要素３４は第１ガイド部９０を有する。第２レール３０が、第１レール２８に対して、第１の方向Ｄ１に沿って動き続けるとき、第２係合要素３４は、第１ガイド部９０のガイド支援により、第１レール２８の第１ブロック部５０の第１側部９２ａを横断するように動かされ得る。第２係合要素３４の弾性部８４は、第１ガイド部９０の動きに応じて弾性力を生成する。
【００２４】
図１２及び図１３に示すように、第２レール３０が、第１レール２８に対して、第１の方向Ｄ１に沿って動き続けるとき、第２係合要素３４の接触部８６は、第１ブロック部５０の第１側部９２ａを横断して第１ブロック部５０の表面５１に対して当接する。第２係合要素３４の接触部８６が、第１ブロック部５０の表面５１から離れて動かされて、第１レール２８の第１ブロック部５０の第２側部９２ｂを横断するとき、第２係合要素３４の接触部８６は、第２係合要素３４の弾性部８４の弾性力の解放に応じて、第１レール２８の第１ブロック部５０の第２側部９２ｂに対応する位置へと動く。その一方で、第１レール２８に対して第２位置Ｐ２に第２レール３０を配置するために、第２レール３０の第２ブロック部６２は、第１レール２８の第１ブロック部５０の第１側部９２ａに対して当接する。上記の状態では、第２レール３０の第２ブロック部６２と、第２係合要素３４の接触部８６とは、第１レール２８に対して第２位置Ｐ２で第２レール３０を保持するために、第１レール２８の第１ブロック部５０の第１側部９２ａ及び第２側部９２ｂそれぞれに隣接して配置されるか、あるいは、それらに対して当接する。更に、第２レール３０が、第１レール２８に対して第２位置Ｐ２に位置するとき、第２係合要素３４の弾性部８４の少なくとも一部は、解放開口５２に対応する。
【００２５】
図１４に示すように、第２レール３０が第１レール２８に対して第２位置Ｐ２で保持されるとき、第２係合要素３４の弾性部８４を動かすために、ユーザは、解放要素５４の解放部５６を押すなどといった、解放開口５２を介して第２係合要素３４を操作して、力Ｆ２を第２係合要素３４の弾性部８４に間接的に加えることができ、これにより、第２係合要素３４の接触部８６は、第１レール２８の第１ブロック部５０の第２側部９２ｂに対してこれ以上当接しなくなる。つまり、第２係合要素３４は、第１レール２８の第１ブロック部５０から動作可能に取り外される。
【００２６】
図１４及び図１５を参照されたい。第２係合要素３４の接触部８６が、第１レール２８の第１ブロック部５０から取り外されるとき、第２レール３０は、第１レール２８に対して、第２の方向Ｄ２に沿って動くことができ、第２レール３０は、第１位置Ｐ１に向かって動く。
【００２７】
図１６及び図１７に示すように、好ましい実施形態において、第１係合要素３２は第２ガイド部９４を有する。第２レール３０が、第１レール２８に対して、第２の方向Ｄ２に沿って動き続けるとき、第１レール２８に対して第２レール３０を回収するために、第１係合要素３２は、第２ガイド部９４のガイド支援により、第１レール２８の第１ブロック部５０の第２側部９２ｂを横断することができる。
【００２８】
図１８から図２１に示すように、第１レール２８及び第２レール３０は、第３レール３６に対して、第１の方向Ｄ１に沿って動く。第２レール３０が、第１レール２８に対して、第１レール２８の前端部４６を越えて第１位置Ｐ１へと動くとき、第２レール３０は、第１係合要素によってブロックされ、これにより、スライドレールアセンブリの延伸長さは、異なる要件に対して短縮され得る。
【００２９】
延伸長さを更に増加する必要がある場合、ユーザは、第１レール２８の解放開口５２を介して第１係合要素３２を操作して、第１係合要素３２を第１レール２８の第１ブロック部５０から解放することができ（簡略化のため、図８から図１３を再度参照されたく、更なる説明は行わない。）、これにより、第２レール３０は、第１レール２８に対して、第１位置Ｐ１から第２位置Ｐ２へと動くことができる。従って、第１レール２８に対して、第２レール３０の移動距離を変えるために、ユーザは、実際の要件に従って、第１レール２８に対して、第１位置Ｐ１又は第２位置Ｐ２へと第２レール３０を動かすように操作することができる。それ故、第２レール３０が被搬送物２０と共に取り付けられるときなどといったスライドレールアセンブリ２２の適用に関し、スライドレールアセンブリ２２は、被搬送物２０の移動距離を周囲空間に合わせることができ、かつ、ユーザが被搬送物２０に対しての取り付けや維持を行うときに、安全性及び利便性を提供することができる。
【００３０】
当業者であれば、本発明の教示を維持しながら、装置及び方法の多くの変更及び代替が行われ得ることを容易に認識するであろう。従って、上記の開示は、添付した請求項の境界及び範囲（ｍｅｔｅｓ  ａｎｄ  ｂｏｕｎｄｓ）によってのみ限定されるものとして解釈されるべきである。
【符号の説明】
【００３１】
２０  被搬送物
２２  スライドレールアセンブリ
２４  ラック
２６ａ  第１ポスト
２６ｂ  第２ポスト
２８  第１レール
３０  第２レール
３２  第１係合要素
３４  第２係合要素
３６  第３レール
３８  通路
４０ａ  上壁
４０ｂ  下壁
４２  縦壁
４４  通路
４６  前端部
４８  後端部
５０  第１ブロック部
５１  表面
５２  解放開口
５４  解放要素
５６  解放部
５８ａ  上壁
５８ｂ  下壁
６０  縦壁
６２  第２ブロック部
６４  取付孔
６６  第１係合部
６８  第２係合部
７０  第１孔
７２  第２孔
７４  第１部分
７６  第２部分
７８  弾性部
８０  接触部
８２  支持部
８４  弾性部
８６  接触部
８８  支持部
９０  第１ガイド部
９２  第２ガイド部
９２ａ  第１側部
９２ｂ  第２側部
９４  第２ガイド部
Ｄ１  第１の方向
Ｄ２  第２の方向
Ｆ１  力
Ｆ２  力
Ｐ１  第１位置
Ｐ２  第２位置
【図１】
2017047165.tif 000003
【図２】
2017047165.tif 000004
【図３】
2017047165.tif 000005
【図４】
2017047165.tif 000006
【図５】
2017047165.tif 000007
【図６】
2017047165.tif 000008
【図７】
2017047165.tif 000009
【図８】
2017047165.tif 000010
【図９】
2017047165.tif 000011
【図１０】
2017047165.tif 000012
【図１１】
2017047165.tif 000013
【図１２】
2017047165.tif 000014
【図１３】
2017047165.tif 000015
【図１４】
2017047165.tif 000016
【図１５】
2017047165.tif 000017
【図１６】
2017047165.tif 000018
【図１７】
2017047165.tif 000019
【図１８】
2017047165.tif 000020
【図１９】
2017047165.tif 000021
【図２０】
2017047165.tif 000022
【図２１】
2017047165.tif 000023